【手続補正書】
【提出日】平成17年4月25日(2005.4.25)
【手続補正１】
【補正対象書類名】明細書
【補正対象項目名】全文
【補正方法】変更
【補正の内容】
【書類名】                    明細書
【発明の名称】  ドア用錠受け金具の可動コア及びドア用錠受け金具
【特許請求の範囲】
【請求項１】  ドア枠１に嵌合状態に固定されるトコヨケ２と、このトコヨケ内に、少なくともトコヨケの奥の内壁面並びに上下の対向内壁との間にそれぞれ空隙部４５，４６を設定して遊嵌合状態に嵌め込まれる枠状可動コア３と、トコヨケ２及び可動コア３の正面側をカバーするように可動コア３を介して前記ドア枠１の正面壁１０ａに当接状態に取り付けられるカバー状ストライク４とから成り、前記トロヨケ２の左右の側壁１５ｃには左右一対の保持ピン逃し用切欠部２０が形成され、前記保持ピン２１は切欠部２０の基準縁部２０ａに係合した状態で該切欠部２０並びに可動コア３の左右の側壁３ｃに形成した挿通孔２８を貫通し、地震発生時、前記ストライク並びに可動コアは、外的な強い衝撃力を受けた場合、ストライクの傾斜状上下端部の変形に伴い前記トロヨケ２内の後方空隙部４５ないし上下の空隙部４６へと多方向へ後退動することを特徴とするドア用錠受け金具。
【請求項２】  請求項１に於いて、可動コアの左右の側壁には、トロヨケの左右の側壁に形成した被係合部２２と仮止め係合する係合部３０が設けられていることを特徴とするドア用錠受け金具。
【請求項３】  ドア枠１に嵌合状態に固定されるトコヨケ２と、このトコヨケ内に設けられる可動コア３と、トコヨケ２及び可動コア３の正面側を全体又は部分的にカバーするようにドア枠１側に取り付けられるカバー状ストライクとを備えたドア用錠受け金具の可動コアであって、可動コアは、前記トコヨケの奥の内壁面並びに上下の対向内壁との間にそれぞれ空隙部４５，４６を設定して遊嵌合状態に嵌め込まれる枠状体であり、枠状体の左右の側壁３ｃの少なくとも上下部には保持ピン２１が一対設けられ、これらの保持ピン２１は、通常の使用状態では、トコヨケ２の左右の側壁の上下部にそれぞれ形成した一対の切欠部２０の基準縁部２０ａと係合し、地震発生時、保持ピン２１は、基準縁部２０ａからトコヨケ２のケース部１５の背面壁１５ｂ方向に拡大して幅広に広がる保持ピン逃し部２０ｂへと移動可能であることを特徴とするドア用錠受け金具の可動コア。
【請求項４】  ドア枠１に嵌合状態に固定されるトコヨケ２Ａ、このトコヨケ内に、少なくともトコヨケの奥の内壁面並びに上下の対向内壁との間にそれぞれ空隙部４５，４６を設定して遊嵌合状態に嵌め込まれる枠状可動コア３Ａ、トコヨケ２Ａ及び可動コア３Ａの正面側をカバーするように可動コア３Ａを介して前記ドア枠１の正面壁１０ａに当接状態に取り付けられるカバー状ストライク４Ａとから成り、前記トロヨケ２Ａの左右の側壁１５ｃには、左右一対の保持ピン用挿通孔２８Ａが形成され、前記保持ピン２１は可動コア３Ａの左右の側壁３ｃに形成した保持ピン逃し用切欠部２０Ａの基準縁部２０ａに係合した状態で貫通し、地震発生時、前記ストライク並びに可動コアは、外的な強い衝撃力を受けた場合、ストライクの傾斜状上下端部の変形に伴い前記トロヨケ２内の後方空隙部４５ないし上下の空隙部４６へと多方向へ後退動することを特徴とするドア用錠受け金具。
【請求項５】  ドア枠１に嵌合状態に固定されるトコヨケ２Ａと、このトコヨケ内に設けられる可動コア３Ａと、トコヨケ２Ａ及び可動コア３Ａの正面側を全体又は部分的にカバーするようにドア枠１側に取り付けられるカバー状ストライクとを備えたドア用錠受け金具の可動コアであって、可動コア３Ａは、前記トコヨケの奥の内壁面並びに上下の対向内壁との間にそれぞれ空隙部４５，４６を設定して遊嵌合状態に嵌め込まれる枠状体であり、枠状体の左右の側壁３ｃの少なくとも上下部には一対の切欠部２０Ａが設けられ、これらの切欠部２０Ａは、通常の使用状態では前記トコヨケ２Ａの左右の側壁１５ｃに設けた上下の保持ピン２１の外周面と係合可能な基準縁部２０ａと、一方、地震発生時、この基準縁部２０ａからトロヨケ２Ａのケース部１５の開口１６側方向に拡大して幅広に広がる保持ピン逃し部２０ｂとを有していることを特徴とするドア用錠受け金具の可動コア。
【発明の詳細な説明】
【０００１】
【発明の属する技術分野】
本発明は、地震時に適合するドア用錠受け金具の可動コア及びドア用錠受け金具に関する。
【０００２】
【従来の技術】
従来技術の一例としては、特開平１１−６２３３７号（特許第３０３７９１３号）に記載の一例がある。この実施例のドア用錠受の構成は次の通りである。
【０００３】
「ドア枠に設けた取付け孔（受入れ口）に固定する固定部材と、ドア側のカンヌキを係脱させる係止孔が形成され、かつ、固定部材に挿嵌されて該固定部材を介して取付け孔に嵌め込み状態に支持させる筒形部材と、筒形部材に固定され、かつ、取付け孔と固定部材及び筒形部材の全体を覆うカバーとを備え、筒形部材は、ドア閉鎖時にドアと平行方向に付与される面内外力の発生方向に所定間隔をあけて固定部材に挿嵌され、この間隔の範囲で面内外力の発生方向にスライド可能とされ、また、面内外力と直交方向の面外外力が発生したときは、固定部材に対しスライド不能とした状態で、ドア枠の取付け孔に嵌め込み状態に保持させて面外外力と対抗させるようにしており、カバーは、所定以上の面内外力が発生したとき変形して、その発生方向への筒形部材の固定部材に対するスライドを許し、通常時には筒形部材の固定部材に対するスライドを阻止するようにドア枠に保持されているドア用錠受」。
【０００４】
上記構成のドア用錠受は、ドア枠に設けた取付け孔（受入れ口）と丁度嵌合する筒形部材にケース状の固定部材を貫通状態に挿入嵌合し、筒形部材の上下の開口端から突出した前記固定部材の取付け耳部（取付け片）をドア枠の正面壁に固着するものであるから、地震発生時、筒形部材はカバーの上下斜辺部分の変形に伴い水平方向に後退動可能なものの、上下方向に移動できないという問題点を有している。であるから、地震の揺れ方向（縦揺れ、横揺れ）如何により、筒形部材が著しく変形する可能性がある。それ故に、ドアの開閉がスムースにできなくなる可能性がある。
【０００５】
【発明が解決しようとする課題】
本発明は以上のような従来の要望点に鑑み、第１の目的は、地震発生時、地震の揺れ対応して施錠片と関係があるストライク及び可動コアが、トロヨケ内の後方空隙部ないし上下の空隙部へと多方向へ後退動することができることである。これによりドアの開閉がスムースにできなくなる危険性を極力回避することができることである。第２の目的は、構成する各部品を合理的に組み合わせることができることである。第３の目的は、可動コアをトロヨケに組み合わせる際に簡単に仮止めすることができることである。
【０００６】
【課題を解決するための手段】
本発明のドア用錠受け金具は、ドア枠１に嵌合状態に固定されるトコヨケ２と、このトコヨケ内に、少なくともトコヨケの奥の内壁面並びに上下の対向内壁との間にそれぞれ空隙部４５，４６を設定して遊嵌合状態に嵌め込まれる枠状可動コア３と、トコヨケ２及び可動コア３の正面側をカバーするように可動コア３を介して前記ドア枠１の正面壁１０ａに当接状態に取り付けられるカバー状ストライク４とから成り、前記トロヨケ２の左右の側壁１５ｃには左右一対の保持ピン逃し用切欠部２０が形成され、前記保持ピン２１は切欠部２０の基準縁部２０ａに係合した状態で該切欠部２０並びに可動コア３の左右の側壁３ｃに形成した挿通孔２８を貫通し、地震発生時、前記ストライク並びに可動コアは、外的な強い衝撃力を受けた場合、ストライクの傾斜状上下端部の変形に伴い前記トロヨケ２内の後方空隙部４５ないし上下の空隙部４６へと多方向へ後退動することを特徴とする。
【０００７】
また本発明のドア用錠受け金具は、ドア枠１に嵌合状態に固定されるトコヨケ２Ａ、このトコヨケ内に、少なくともトコヨケの奥の内壁面並びに上下の対向内壁との間にそれぞれ空隙部４５，４６を設定して遊嵌合状態に嵌め込まれる枠状可動コア３Ａ、トコヨケ２Ａ及び可動コア３Ａの正面側をカバーするように可動コア３Ａを介して前記ドア枠１の正面壁１０ａに当接状態に取り付けられるカバー状ストライク４Ａとから成り、前記トロヨケ２Ａの左右の側壁１５ｃには、左右一対の保持ピン用挿通孔２８Ａが形成され、前記保持ピン２１は可動コア３Ａの左右の側壁３ｃに形成した保持ピン逃し用切欠部２０Ａの基準縁部２０ａに係合した状態で貫通し、地震発生時、前記ストライク並びに可動コアは、外的な強い衝撃力を受けた場合、ストライクの傾斜状上下端部の変形に伴い前記トロヨケ２内の後方空隙部４５ないし上下の空隙部４６へと多方向へ後退動することを特徴とする。
【０００８】
また、本発明のドア用錠受け金具の可動コアは、ドア枠１に嵌合状態に固定されるトコヨケ２と、このトコヨケ内に設けられる可動コア３と、トコヨケ２及び可動コア３の正面側を全体又は部分的にカバーするようにドア枠１側に取り付けられるカバー状ストライクとを備えたドア用錠受け金具の可動コアであって、可動コアは、前記トコヨケの奥の内壁面並びに上下の対向内壁との間にそれぞれ空隙部４５，４６を設定して遊嵌合状態に嵌め込まれる枠状体であり、枠状体の左右の側壁３ｃの少なくとも上下部には保持ピン２１が一対設けられ、これらの保持ピン２１は、通常の使用状態では、トコヨケ２の左右の側壁の上下部にそれぞれ形成した一対の切欠部２０の基準縁部２０ａと係合し、地震発生時、保持ピン２１は、基準縁部２０ａからトコヨケ２のケース部１５の背面壁１５ｂ方向に拡大して幅広に広がる保持ピン逃し部２０ｂへと移動可能であることを特徴とする。
【０００９】
さらに、本発明のドア用錠受け金具の可動コアは、ドア枠１に嵌合状態に固定されるトコヨケ２Ａと、このトコヨケ内に設けられる可動コア３Ａと、トコヨケ２Ａ及び可動コア３Ａの正面側を全体又は部分的にカバーするようにドア枠１側に取り付けられるカバー状ストライクとを備えたドア用錠受け金具の可動コアであって、可動コア３Ａは、前記トコヨケの奥の内壁面並びに上下の対向内壁との間にそれぞれ空隙部４５，４６を設定して遊嵌合状態に嵌め込まれる枠状体であり、枠状体の左右の側壁３ｃの少なくとも上下部には一対の切欠部２０Ａが設けられ、これらの切欠部２０Ａは、通常の使用状態では前記トコヨケ２Ａの左右の側壁１５ｃに設けた上下の保持ピン２１の外周面と係合可能な基準縁部２０ａと、一方、地震発生時、この基準縁部２０ａからトロヨケ２Ａのケース部１５の開口１６側方向に拡大して幅広に広がる保持ピン逃し部２０ｂとを有していることを特徴とする。
【００１０】
ここで「基準縁部２０ａ」とは、保持ピン２１が当接する切欠部（２０，２０Ａ）の中央縁部をいう。
【００１１】
【発明の実施の形態】
まず、図１及び図２に於いて、本発明（部品としてのドア用錠受け金具の可動コアと、完成品としてのドア用錠受け金具）の実施の環境部材を説明する。１はドア枠、２はドア枠に嵌合状態に固定されるトコヨケ、３はトコヨケ内に、少なくともトコヨケの奥の内壁面並びに上下の対向内壁との間にそれぞれ空隙部を設定して遊嵌合状態に嵌め込まれる枠状可動コア、４はトコヨケ２及び可動コア３の正面側を全体又は部分的にカバーするように可動コア３を介して間接的に又は直接前記ドア枠１の正面壁に当接状態に取り付けられるカバー状ストライク、５はドア枠１に対して開閉可能に設けられるドア、６はドア側に設けた錠前の第１の施錠片（ここではデッドボルト）、７はデッドボルト６と並存的に設けられた錠前の第２の施錠片（ここでは鎌片）である。なお、前記鎌片７は、防犯機能を高めるために設けられており、施錠時、図１で示すようにデッドボルト６と水平方向に重なった状態で可動コア３の正面壁２６の内壁面に対してその先端部が掛合可能な状態となっている。
【００１２】
図１はドア枠１にトコヨケ２、枠状可動コア３、カバー状ストライク４をそれぞれ固定的に取り付けた場合における通常の使用状態を示す。なお、本発明の特定要件に関係のない部分は省略してある。
【００１３】
次に図２乃至図８を参照にして本発明の第１実施例を説明する。図２はドア用錠受け具を構成する各部材の分解斜視図である。図２の左側から錠受け具の構成部材を順番に説明する。
【００１４】
まず簡略化したドア枠１から説明する。角筒部１０はドア５の垂直端面と対向する一部のみを示してある。１０ａは正面壁、１０ｂは背面壁、１０ｃ，１０ｃは左右の側壁、１１は前記正面壁１０ａに形成された縦長状の受入れ口、１２は受入れ口に連通するように左側の上下の部位にそれぞれ垂直線状に切欠されたストライク用切欠溝、１３はこれらの切欠溝１２，１２付近の正面壁１０ａに形成された上下のネジ孔である。
【００１５】
次にトロヨケ２について説明する。トロヨケ２の形状は普通一般のそれと同様である。すなわち、トロヨケ２の部分を区分けすると、図３で示すように、ドア枠１の受入れ口１１にスッポリトと入り込む正面開口の角形ケース部１５と、この角形ケース部１５の開口１６側の上下端部にそれぞれ一体形成された突片状の取付け片１７，１７とから成り、前記取付け片１７，１７には、ドア枠１のネジ孔１３，１３と符合する貫通孔１８，１８が形成されている。
【００１６】
しかして、本実施例では、前記角形ケース部１５の左右の側壁１５ｃ，１５ｃの上下の部位には、左右一対の保持ピン逃し用切欠部２０，２０がそれぞれ計４個形成されている。これらの切欠部２０は、図１又は図２で示すように、それぞれ上下一対の可動コア用保持ピン２１，２１と関係する。
【００１７】
すなわち、各保持ピン２１は左右一対の逃し用切欠部２０，２０をそれぞれ貫通する。切欠部２０は、通常の使用状態では、一つの保持ピン２１の外周面と一部係合するやや半円弧状の小係合溝２０ａと、基準縁部としての小係合溝２０ａを基準にして角形ケース部１５の背面壁１５ｂ方向に拡大して幅広（例えば矩形状、垂直長孔状など）に広がる保持ピン逃し部２０ｂとを有している。
【００１８】
また前記左右の側壁１５ｃ，１５ｃの上下部位寄りの部位には、小さな被係合部（例えば係合小孔、内壁面に形成された小さな溝など）２２，２２が形成されている。
【００１９】
次に可動コア３について説明する。可動コア３は、図１、図４で示すように、複数個の開口を有する箱型形状に形成されている。すなわち、３ａ，３ａは上下の正面壁で、本実施例では、施錠時、鎌片７の先端部はいずれか一方の正面壁３ａの内壁面に対して掛合可能な状態となっている（鎌片７は可動コアに対しては係合している）。３ｃ，３ｃは左右の側壁、２５は前記正面壁３ａ，３ａの間に形成された縦長の前方開口、２６は正面壁３ａ，３ａにそれぞれ形成された上下の凹所、２７はこれらの凹所２６，２６にそれぞれ形成された上下のネジ孔、２８は前記左右の側壁３ｃ，３ｃの上下にそれぞれ形成された保持ピン用挿通孔、３０は左右の側壁３ｃ，３ｃの上下部位寄りの部位にそれぞれ形成され、かつ、前述したトロヨケ２の小さな被係合部２２，２２にそれぞれ係脱する小さな係合部（例えば小突起）、３１は上下の後方開口、３２は後方開口３１を上下に分断するように左右の側壁３ｃ，３ｃの中央部に固定的に横設した断面コ字型の施錠片用受け片である。
【００２０】
ところで、図１で示すように、可動コア３は係合部３０や上下の保持ピン２１，２１を介してトロヨケ２に遊嵌合状態に保持される。可動コア３がトロヨケ２に遊嵌合した時、可動コア３の小突起状の係合部３０，３０は、トロヨケ２の小さな被係合部２２，２２にそれぞれ係合する。したがって、トロヨケ２と可動コア３は、仮ではあるが一体的になる。
【００２１】
また、可動コア３に入り込んだ施錠片６の下面と前記受け片３２の水平上板部３２ａとの間には、多少のクリアランス（たとえば７ｍｍ程度）が設定されているが、地震発生時、受け片３２はドア枠の変形によってデッドボルト６の下面と水平上板部３２ａとが互いに衝突し合った場合その衝撃力を受ける。また本実施例では鎌片７も設けられているので、施錠片６と同時に鎌片７が後退しながら上昇した場合には、可動コア３の前方開口２５の上縁部が、両方の施錠片６，７からその衝撃力を受ける。
【００２２】
したがって、可動コア３は、両方の施錠片６，７がトロヨケ２側に移動してきた時、後述するように施錠片用受け片３２の水平上板部３２ａ等を介して後退上下動可能な状態となる。
【００２３】
次に図４を参照にしてカバー状のストライク４について説明する。３５はカバー部本体、３６はカバー部本体に上方と下方にそれぞれ連設する変形可能な傾斜状上下端部、３７はカバー部本体の右側端部から該カバー部本体に直交するように設けられた進入係合側壁、３８は可動コア３の前方開口２５と同一形状の正面開口、３９はカバー部本体の上下部に形成され、かつ、可動コア３のネジ孔２７，２７と符合するストライク固着具４０用の挿通孔である。
【００２４】
なお、ストライク４は、前記進入係合側壁３７に対向する他方側の側壁を有しない。またドア枠１の切欠溝１２に係合する進入係合側壁３７の上下の突片状端部３７ａ，３７ａと傾斜状上下端部３６，３６とは互いに切れている。
【００２５】
したがって、トロヨケ固着具４１，４１をカバーするストライク４の傾斜状上下端部３６，３６は、例えばストライク４を戸枠側に押し付ける略水平方向Ｘ、又はストライク４をドア５の端面側に押し付ける逆方向Ｘの衝撃力が作用すると変形可能である。
【００２６】
次に各部材の組み合わせについて簡単に説明する。まずトロヨケ２と可動コア３とを一体的に組み合わせる。この時トロヨケ２の被係合部２２，２２に可動コア３の係合部３０，３０を係合させ、また上下の保持ピン２１，２１をトコヨケ２の上下の切欠部２０，２０と可動コア３の上下の挿通孔２８，２８にそれぞれ差し込む。
【００２７】
次にトロヨケ２のケース部１５をドア枠１の受入れ口１１に嵌め込み、上下の取付け片１７，１７をドア枠１の正面壁１０ａに面接触させる。そして、トロヨケ固着具４１，４１を可動コアの貫通孔１８，１８に合わせてドア枠のネジ孔１３，１３に螺締する。これによりトロヨケ２はドア枠１に固着される。
【００２８】
次にストライク４をトロヨケ２の上下の取付け片１７，１７を覆うようにする。しかる後にストライク固着具４０，４０を挿通孔３９，３９に合わせて可動コア３のネジ孔２７，２７に螺締する。螺締すると、上下の保持ピン２１，２１はトロヨケの小係合溝２０ａに確実に係合するから、図１，図５に示すように、各部材２，３，４は一体的になる。なお、施錠片６の上面とストライク４の正面開口２８の上縁部との間には多少のリアランスがある。
【００２９】
図６及び図７は、ドア枠１が変形するような地震発生時における可動コア３の移動方向の一例を示す。前述したように、地震発生時、例えば施錠片６がドア枠１の変形によって施錠片６が傾倒し、或いは下降し、その下面と受け片３２の水平上板部３２ａとが互いに衝突し合った場合には、可動コア３がその受け片３２を介して施錠片６から強い衝撃力を受ける。
【００３０】
したがって、今仮に、図１の使用状態に於いて、ストライク４のカバー部本体３５の壁面に対して交差する方向Ｘの面外外力（外部の衝撃力）が発生すると同時に、カバー部本体３５の壁面に対して平行する方向Ｙの外力（外部の衝撃力）が発生した場合には、ドア枠１とドア５との間でストライク４が水平〜垂直方向へと衝撃的に押圧されることになるから、その上下端部３６，３６は外拡変位してドア枠１の正面壁１０ａをトロヨケ方向Ｘ並びに上下方向Ｙへとスライドする。この時可動コア３の小係合突起３０，３０は変形し、或いは破壊してトロヨケ２の小孔２２から外れる。
【００３１】
しかし、保持ピン２１を介してトロヨケ４と可動コア３は一体であるから、トロヨケ４と可動コア３は、トロヨケ１内の後方空隙部４５及び上下の空隙部４６へと多方向へ後退上下動する。したがって、可動コア用保持ピン２１，２１は、可動コア３の後退上下動に対応してトロヨケ２の切欠部２０の小係合溝２０ａから幅広の保持ピン逃し部２０ｂへと移行する。
【００３２】
【実施例】
第１実施例に於いて、トロヨケ２の左右の側壁１５ｃ，１５ｃの上下の部位には、左右一対の保持ピン逃し用切欠部２０，２０がそれぞれ計４個形成されているが、ドア側の錠前の構造如何によってはその数を増やし又は減じても良い。また、可動コアの左右の側壁３ｃ，３ｃの中央部には、地震発生時、錠前の施錠片の下面と当接可能な施錠片用受け片が固定的に一つ横設されているが、施錠片の上面と当接可能な状態にもう一つ受け片を横設しても良い。なお、施錠片用受け片の形状等は任意に設計変更可能である。また、例えば可動コアの左右の側壁に被係合部２２を形成し、一方、トロヨケの左右の側壁に前記被係合部２２に仮止め係合する係合部３０を設けることも均等事項である。
【００３３】
次に図９乃至図１１に示す第２実施例について説明する。なお、第２実施例の説明にあたって、第１実施例と同一の部分には、同一又は同様の符合を付して重複する説明を省略する。
【００３４】
第２実施例において、前記実施例と主に異なる点は、本発明の特徴点（保持ピン用切欠部と挿通孔の形成対象）を設計変更したことである。すなわち、図１０で示すようにトロヨケ２Ａの左右の側壁１５ｃ，１５ｃの方に保持ピン２１，２１用の挿通孔２８Ａ，２８Ａを上下にそれぞれ形成し、一方、可動コア３Ａの左右の側壁３ｃ，３ｃに、保持ピン逃がし用切欠部２０Ａ，２０Ａを上下にそれぞれ形成したことである。この実施例の上下の保持ピン２１，２１と上下の切欠部２０Ａ，２０Ａとの係合関係は、図９に示す通りである。
【００３５】
図９と第１実施例の図１とを比較すると、切欠部２０Ａ，２０Ａの向きが逆になっており、ストライク固着具４０，４０を螺締した時は、上下の保持ピン２１，２１は、トロヨケ２Ａ内の後方空隙部４５側に位置する小係合溝２０ａ，２０ａにそれぞれ係合する。
【００３６】
付言すると、保持ピン２１は、通常の使用状態では、トコヨケ２の左右の側壁の上下部にそれぞれ形成した一対の切欠部２０の基準縁部２０ａと係合し、地震発生時、保持ピン２１は、基準縁部２０ａからトコヨケ２のケース部１５の背面壁１５ｂ方向に拡大して幅広に広がる保持ピン逃し部２０ｂへと移動可能である。このように設計変更しても第１実施例と同一の作用・効果がある。
【００３７】
【発明の効果】
以上の説明から明らかなように、本発明にあっては、次に列挙するような効果がある。
（１）地震発生時、地震の揺れに対応して施錠片と係合関係があるストライク及び可動コアが、トロヨケ内の後方空隙部ないし上下の空隙部へと多方向へ後退動することができる。したがって、ドアの開閉がスムースにできなくなる危険性を極力回避することができる。
（２）構成する各部品を合理的に組み合わせることができる。
（３）請求項４に記載の発明は、可動コアをトロヨケに組み合わせる際に簡単に仮止めすることができる。
【図面の簡単な説明】
図１乃至図８は本発明の第１実施例を示す各説明図。図９乃至図１１は本発明の第２実施例を示す各説明図
【図１】第１実施例の実施形態を示す概略説明図（通常の使用状態）。
【図２】分解斜視図。
【図３】ドア枠とトロヨケの関係を示す斜視図。
【図４】可動コアとストライクとの関係を示す斜視図。
【図５】トロヨケと可動コアとストライクとを結合関係を示す斜視図。
【図６】平面から見た概略説明図。
【図７】地震発生時の可動コアの状態を示す概略断面説明図（平面視）。
【図８】地震発生時の可動コアの状態を示す概略断面説明図（側壁視）。
【図９】第２実施例の実施形態を示す概略説明図（通常の使用状態）。
【図１０】分解斜視図。
【図１１】地震発生時の可動コアの状態を示す概略断面説明図（側壁視）。
【符号の説明】
Ｘ…水平方向、Ｙ…上下方向、１…ドア枠、２，２Ａ…トコヨケ、３，３Ａ…可動コア、３ａ…正面壁、３ｃ…左右の側壁、４…ストライク、５…ドア、６，７…施錠片、１０…角筒部、１０ａ…正面壁、１０ｂ…背面壁、１０ｃ…左右の側壁、１１…受入れ口、１２…ストライク用切欠溝、１３…ネジ孔、１５…角形ケース部、１５ｃ…左右の側壁、１６…開口、１７…取付け片、１８…貫通孔、２０，２０Ａ…切欠部、２０ａ…小係合溝、２０ｂ…保持ピン逃し部、２１…保持ピン、２２…被係合部、２５…前方開口、２６…凹所、２７…ネジ孔、２８，２８Ａ…挿通孔、３０…係合部、３１…後方開口、３２…施錠片用受け片、３２ａ…水平上板部、３５…カバー部本体、３６…傾斜状上下端部、３７…進入係合側壁、３８…正面開口、３９…挿通孔、４０…ストライク固着具、４１…トロヨケ固着具、４５…後方空隙部、４６…上下の空隙部。